【手続補正書】
【提出日】平成19年7月19日(2007.7.19)
【手続補正１】
【補正対象書類名】特許請求の範囲
【補正対象項目名】全文
【補正方法】変更
【補正の内容】
【特許請求の範囲】
【請求項１】
画像データを入力し、当該画像データ及び像域情報を圧縮符号化し出力する画像符号化装置であって、
入力する画像データが、文字線画であるか、或いは階調画像であるかを設定する入力モード設定手段と、
圧縮符号化率を決定するための第１のパラメータに従って画像データを圧縮符号化する画像符号化手段と、
圧縮符号化率を決定するための第２のパラメータに従って前記画像符号化手段による符号化データを再符号化する再符号化手段と、
入力した画像データの像域属性情報を検出する属性検出手段と、
像域属性を補正するための第３のパラメータに従って前記像域属性情報を補正する属性補正手段と、
該属性補正手段で補正された像域属性情報を圧縮符号化する属性符号化手段と、
前記入力モード設定手段で設定された入力モードに従い、前記第１のパラメータ、前記第３のパラメータを決定し、前記画像符号化手段及び前記補正手段それぞれに設定する初期パラメータ設定手段と、
設定されたパラメータに従って、入力中の画像データに対する前記画像符号化手段で生成される画像符号化データ量、及び、前記属性符号化手段で生成される属性符号化データ量の合計である総符号量を監視し、前記総符号量が所定値以上になったか否かを判定する監視手段と、
該監視手段で前記総符号量が前記所定値以上になったと判断した場合、（ａ）前記画像符号化手段に設定されていた第１のパラメータを、圧縮率の高いパラメータで更新して画像データの符号化を継続させ、（ｂ）更新後の第１のパラメータと同じ第２のパラメータを前記再符号化手段に設定して、前記総符号量が前記所定値以上になる以前の画像符号化データを再符号化させるパラメータ更新手段と
を備えることを特徴とする画像符号化装置。
【請求項２】
前記第３のパラメータが、前記入力モード設定手段で文字線画が設定されたことを示す場合、前記補正手段は、前記属性検出手段で検出された像域情報中の文字線画／中間調を示す情報を強制的に文字線画を示す情報で書換え、
前記前記第３のパラメータが、前記入力モード設定手段で階調画像が設定されたことを示す場合、前記補正手段は、前記属性検出手段で検出された像域情報中の文字線画／中間調を示す情報を強制的に中間調を示す情報で書換えることを特徴とする請求項１に記載の画像符号化装置。
【請求項３】
前記入力モード設定手段で設定するモードにはオートモードが含まれ、
当該オートモードが設定された場合、前記補正手段は、前記属性検出手段で検出された像域情報を補正せずに通過させることを特徴とする請求項１又は２に記載の画像符号化装置。
【請求項４】
画像データを入力し、当該画像データ及び像域情報を圧縮符号化し出力する画像符号化方法であって、
入力する画像データが、文字線画であるか、或いは階調画像であるかを設定する入力モード設定工程と、
圧縮符号化率を決定するための第１のパラメータに従って画像データを圧縮符号化する画像符号化工程と、
圧縮符号化率を決定するための第２のパラメータに従って前記画像符号化工程による符号化データを再符号化する再符号化工程と、
入力した画像データの像域属性情報を検出する属性検出工程と、
像域属性を補正するための第３のパラメータに従って前記像域属性情報を補正する属性補正工程と、
該属性補正工程で補正された像域属性情報を圧縮符号化する属性符号化工程と、
前記入力モード設定工程で設定された入力モードに従い、前記第１のパラメータ、前記第３のパラメータを決定し、前記画像符号化工程及び前記補正工程それぞれに設定する初期パラメータ設定工程と、
設定されたパラメータに従って、入力中の画像データに対する前記画像符号化工程で生成される画像符号化データ量、及び、前記属性符号化工程で生成される属性符号化データ量の合計である総符号量を監視し、前記総符号量が所定値以上になったか否かを判定する監視工程と、
該監視工程で前記総符号量が前記所定値以上になったと判断した場合、（ａ）前記画像符号化工程に設定されていた第１のパラメータを、圧縮率の高いパラメータで更新して画像データの符号化を継続させ、（ｂ）更新後の第１のパラメータと同じ第２のパラメータを前記再符号化工程に設定して、前記総符号量が前記所定値以上になる以前の画像符号化データを再符号化させるパラメータ更新工程と
を備えることを特徴とする画像符号化方法。
【請求項５】
コンピュータが読み込み実行することで、前記コンピュータを、画像データを入力し、当該画像データ及び像域情報を圧縮符号化し出力する画像符号化装置として機能させるコンピュータプログラムであって、
入力する画像データが、文字線画であるか、或いは階調画像であるかを設定する入力モード設定手段と、
圧縮符号化率を決定するための第１のパラメータに従って画像データを圧縮符号化する画像符号化手段と、
圧縮符号化率を決定するための第２のパラメータに従って前記画像符号化手段による符号化データを再符号化する再符号化手段と、
入力した画像データの像域属性情報を検出する属性検出手段と、
像域属性を補正するための第３のパラメータに従って前記像域属性情報を補正する属性補正手段と、
該属性補正手段で補正された像域属性情報を圧縮符号化する属性符号化手段と、
前記入力モード設定手段で設定された入力モードに従い、前記第１のパラメータ、前記第３のパラメータを決定し、前記画像符号化手段及び前記補正手段それぞれに設定する初期パラメータ設定手段と、
設定されたパラメータに従って、入力中の画像データに対する前記画像符号化手段で生成される画像符号化データ量、及び、前記属性符号化手段で生成される属性符号化データ量の合計である総符号量を監視し、前記総符号量が所定値以上になったか否かを判定する監視手段と、
該監視手段で前記総符号量が前記所定値以上になったと判断した場合、（ａ）前記画像符号化手段に設定されていた第１のパラメータを、圧縮率の高いパラメータで更新して画像データの符号化を継続させ、（ｂ）更新後の第１のパラメータと同じ第２のパラメータを前記再符号化手段に設定して、前記総符号量が前記所定値以上になる以前の画像符号化データを再符号化させるパラメータ更新手段
として機能することを特徴とするコンピュータプログラム。
【請求項６】
請求項５に記載のコンピュータプログラムを格納したことを特徴とするコンピュータ可読記憶媒体。
【請求項７】
画像データを入力し、当該画像データ及び像域情報を圧縮符号化し出力する画像符号化装置であって、
入力する画像データが、文字線画であるか、或いは階調画像であるかを設定する入力モード設定手段と、
圧縮符号化率を決定するための第１のパラメータに従って入力画像データを圧縮符号化する第１の画像符号化手段と、
該第１の画像符号化手段と並行して実行し、前記第１のパラメータよりも圧縮率の高い第２のパラメータに従って入力画像データを圧縮符号化する第２の画像符号化手段と、
該第２の画像符号化手段で生成された画像符号化データを、圧縮符号化率を決定するための第３のパラメータに従って再符号化する再符号化手段と、
入力した画像データの像域属性情報を検出する属性検出手段と、
像域属性を補正するための第４のパラメータに従って前記像域属性情報を補正する属性補正手段と、
該属性補正手段で補正された像域属性情報を圧縮符号化する属性符号化手段と、
前記入力モード設定手段で設定された入力モードに従い、前記第１、２、４のパラメータを決定し、前記第１、第２の画像符号化手段及び前記補正手段それぞれに設定する初期パラメータ設定手段と、
設定されたパラメータに従って、入力中の画像データに対する前記第１の画像符号化手段で生成される画像符号化データ量、及び、前記属性符号化手段で生成される属性符号化データ量の合計である総符号量を監視し、前記総符号量が所定値以上になったか否かを判定する監視手段と、
該監視手段で前記総符号量が前記所定値以上になったと判断した場合、（ａ）前記第１の画像符号化手段に設定されていた第１のパラメータを前記第２のパラメータで更新し、前記第２の符号化手段に設定されていた第２のパラメータを圧縮率の高いパラメータで更新して前記第１、第２の画像符号化手段による符号化を継続させ、（ｂ）更新後の第２のパラメータを前記第３のパラメータとして前記再符号化手段に設定して、前記総符号量が前記所定値以上になる以前の画像符号化データを再符号化させるパラメータ更新手段と
を備えることを特徴とする画像符号化装置。
【請求項８】
前記第４のパラメータが、前記入力モード設定手段で文字線画が設定されたことを示す場合、前記補正手段は、前記属性検出手段で検出された像域情報中の文字線画／中間調を示す情報を強制的に文字線画を示す情報で書換え、
前記第４のパラメータが、前記入力モード設定手段で階調画像が設定されたことを示す場合、前記補正手段は、前記属性検出手段で検出された像域情報中の文字線画／中間調を示す情報を強制的に中間調を示す情報で書換えることを特徴とする請求項７に記載の画像符号化装置。
【請求項９】
前記入力モード設定手段で設定するモードにはオートモードが含まれ、
当該オートモードが設定された場合、前記補正手段は、前記属性検出手段で検出された像域情報を補正せずに通過させることを特徴とする請求項７又は８に記載の画像符号化装置。
【請求項１０】
画像データを入力し、当該画像データ及び像域情報を圧縮符号化し出力する画像符号化方法であって、
入力する画像データが、文字線画であるか、或いは階調画像であるかを設定する入力モード設定工程と、
圧縮符号化率を決定するための第１のパラメータに従って入力画像データを圧縮符号化する第１の画像符号化工程と、
該第１の画像符号化工程と並行して実行し、前記第１のパラメータよりも圧縮率の高い第２のパラメータに従って入力画像データを圧縮符号化する第２の画像符号化工程と、
該第２の画像符号化工程で生成された画像符号化データを、圧縮符号化率を決定するための第３のパラメータに従って再符号化する再符号化工程と、
入力した画像データの像域属性情報を検出する属性検出工程と、
像域属性を補正するための第４のパラメータに従って前記像域属性情報を補正する属性補正工程と、
該属性補正工程で補正された像域属性情報を圧縮符号化する属性符号化工程と、
前記入力モード設定工程で設定された入力モードに従い、前記第１、２、４のパラメータを決定し、前記第１、第２の画像符号化工程及び前記補正工程それぞれに設定する初期パラメータ設定工程と、
設定されたパラメータに従って、入力中の画像データに対する前記第１の画像符号化工程で生成される画像符号化データ量、及び、前記属性符号化工程で生成される属性符号化データ量の合計である総符号量を監視し、前記総符号量が所定値以上になったか否かを判定する監視工程と、
該監視工程で前記総符号量が前記所定値以上になったと判断した場合、（ａ）前記第１の画像符号化工程に設定されていた第１のパラメータを前記第２のパラメータで更新し、前記第２の符号化工程に設定されていた第２のパラメータを圧縮率の高いパラメータで更新して前記第１、第２の画像符号化工程による符号化を継続させ、（ｂ）更新後の第２のパラメータを前記第３のパラメータとして前記再符号化工程に設定して、前記総符号量が前記所定値以上になる以前の画像符号化データを再符号化させるパラメータ更新工程と
を備えることを特徴とする画像符号化方法。
【請求項１１】
コンピュータが読み込み実行することで、前記コンピュータを、画像データを入力し、当該画像データ及び像域情報を圧縮符号化し出力する画像符号化装置として機能させるコンピュータプログラムであって、
入力する画像データが、文字線画であるか、或いは階調画像であるかを設定する入力モード設定手段と、
圧縮符号化率を決定するための第１のパラメータに従って入力画像データを圧縮符号化する第１の画像符号化手段と、
該第１の画像符号化手段と並行して実行し、前記第１のパラメータよりも圧縮率の高い第２のパラメータに従って入力画像データを圧縮符号化する第２の画像符号化手段と、
該第２の画像符号化手段で生成された画像符号化データを、圧縮符号化率を決定するための第３のパラメータに従って再符号化する再符号化手段と、
入力した画像データの像域属性情報を検出する属性検出手段と、
像域属性を補正するための第４のパラメータに従って前記像域属性情報を補正する属性補正手段と、
該属性補正手段で補正された像域属性情報を圧縮符号化する属性符号化手段と、
前記入力モード設定手段で設定された入力モードに従い、前記第１、２、４のパラメータを決定し、前記第１、第２の画像符号化手段及び前記補正手段それぞれに設定する初期パラメータ設定手段と、
設定されたパラメータに従って、入力中の画像データに対する前記第１の画像符号化手段で生成される画像符号化データ量、及び、前記属性符号化手段で生成される属性符号化データ量の合計である総符号量を監視し、前記総符号量が所定値以上になったか否かを判定する監視手段と、
該監視手段で前記総符号量が前記所定値以上になったと判断した場合、（ａ）前記第１の画像符号化手段に設定されていた第１のパラメータを前記第２のパラメータで更新し、前記第２の符号化手段に設定されていた第２のパラメータを圧縮率の高いパラメータで更新して前記第１、第２の画像符号化手段による符号化を継続させ、（ｂ）更新後の第２のパラメータを前記第３のパラメータとして前記再符号化手段に設定して、前記総符号量が前記所定値以上になる以前の画像符号化データを再符号化させるパラメータ更新手段
として機能させることを特徴とするコンピュータプログラム。
【請求項１２】
請求項１１に記載のコンピュータプログラムを格納したことを特徴とするコンピュータ可読記憶媒体。
【請求項１３】
原稿画像を入力し、所定の記録媒体上に可視画像を形成する画像形成装置であって、
入力した原稿画像及び当該原稿画像から得られた像域情報を請求項１又は７に記載の画像符号化装置と
該画像符号化装置で生成された符号化データを蓄積する蓄積手段と、
蓄積手段で蓄積された符号化データを復号する復号手段と、
復号手段で得られた画像データを像域情報に基づいて補正し、画像形成する画像形成手段と
を備えることを特徴とする画像形成装置。
【手続補正２】
【補正対象書類名】明細書
【補正対象項目名】００１１
【補正方法】変更
【補正の内容】
【００１１】
この課題を解決するため、例えば本発明の画像符号化装置は以下の構成を備える。すなわち、
画像データを入力し、当該画像データ及び像域情報を圧縮符号化し出力する画像符号化装置であって、
入力する画像データが、文字線画であるか、或いは階調画像であるかを設定する入力モード設定手段と、
圧縮符号化率を決定するための第１のパラメータに従って画像データを圧縮符号化する画像符号化手段と、
圧縮符号化率を決定するための第２のパラメータに従って前記画像符号化手段による符号化データを再符号化する再符号化手段と、
入力した画像データの像域属性情報を検出する属性検出手段と、
像域属性を補正するための第３のパラメータに従って前記像域属性情報を補正する属性補正手段と、
該属性補正手段で補正された像域属性情報を圧縮符号化する属性符号化手段と、
前記入力モード設定手段で設定された入力モードに従い、前記第１のパラメータ、前記第３のパラメータを決定し、前記画像符号化手段及び前記補正手段それぞれに設定する初期パラメータ設定手段と、
設定されたパラメータに従って、入力中の画像データに対する前記画像符号化手段で生成される画像符号化データ量、及び、前記属性符号化手段で生成される属性符号化データ量の合計である総符号量を監視し、前記総符号量が所定値以上になったか否かを判定する監視手段と、
該監視手段で前記総符号量が前記所定値以上になったと判断した場合、（ａ）前記画像符号化手段に設定されていた第１のパラメータを、圧縮率の高いパラメータで更新して画像データの符号化を継続させ、（ｂ）更新後の第１のパラメータと同じ第２のパラメータを前記再符号化手段に設定して、前記総符号量が前記所定値以上になる以前の画像符号化データを再符号化させるパラメータ更新手段とを備える。